(57)【要約】【課題】ボールマーカーをポケットなどに入れる必要がなく、確実に保持できるボールマーカー保持手段を提供すること。【解決手段】グリップ４の端面近傍に磁石５を備え、この磁力により磁性を有するボールマーカー９を吸着できるボールマーカー保持手段を備えるゴルフクラブにより、グリーンに自打球が停止した際、グリップ４の端面からボールマーカー９を取り外して所定の位置におき、そして次の打撃に先立ちボールマーカー９をグリーンから拾い上げ、再びグリップ４の端面に保持できる。【選択図】      図１
2004357925.tif 000002
【特許請求の範囲】
【請求項１】
グリップ（４）の端面近傍に磁石（５）を備え、この磁力により磁性を有するボールマーカー（９）を吸着できることを特徴とするボールマーカー保持手段を備えるゴルフクラブ。
【請求項２】
前記グリップ（４）の端面周縁に、磁石（５）に吸着しているボールマーカー（９）の取出箇所（１０）を除いて、磁石（５）の吸着面より突出している起立壁（７）を備えていることを特徴とする請求項１記載のボールマーカー保持手段を備えるゴルフクラブ。
【請求項３】
前記取出箇所（１０）の開口幅は、ボールマーカー（９）の直径よりも小さいことを特徴とする請求項２記載のボールマーカー保持手段を備えるゴルフクラブ。
【請求項４】
前記取出箇所（１０）には、ボールマーカー（９）の取り出しを容易にするためのカット面（８）を備えていることを特徴とする請求項２または３記載のボールマーカー保持手段を備えるゴルフクラブ。
【発明の詳細な説明】
【０００１】
【発明の属する技術分野】
本発明は、グラウンドゴルフやパークゴルフを含むゴルフ競技において、ボールの停止位置を明示するために使用されるボールマーカーを、確実に保持できるボールマーカー保持手段を備えるゴルフクラブに関する。
【０００２】
【従来の技術】
ゴルフ競技においてグリーンに載った自打球は、他の競技者の障害にならないよう、ボールが停止した位置に目印となるボールマーカーを置いてから、ボールをグリーンから拾い上げる。このボールマーカーは、コインなどの円盤状の金属板が一般的に使用されているが、形状や材質などが厳密に規定されている訳ではなく、その選択は個人の裁定に委ねられる。なおボールマーカーは、競技中に各個人がポケットに入れて持ち運ぶことが多いものの、ゴルフ場の運営者によりコース途中に用意されていて、適宜借用できる場合もある。
【０００３】
【発明が解決しようとする課題】
ボールマーカーは、他人のものと識別できるよう各競技者が異なるデザインのものを使用することが望ましい。したがって競技者は、自分専用のボールマーカーを常に持ち運ぶべきだが、競技者のポケットの中にはボールマーカー以外にもティーなどの各種道具やロッカーの鍵など、多くの小物を持ち歩いている。そのためボールマーカーをポケットから取り出す際、探り当てるまでに時間が掛かったり、気づかないうちに鍵などを落としてしまう恐れもある。
【０００４】
本発明はこうした実状を基に開発されたもので、ボールマーカーを確実に保持できるボールマーカー保持手段を備えるゴルフクラブの提供を目的としている。
【０００５】
【課題を解決するための手段】
前記の課題を克服する請求項１記載の発明は、グリップの端面近傍に磁石を備え、この磁力により磁性を有するボールマーカーを吸着できることを特徴とするボールマーカー保持手段を備えるゴルフクラブであり、グリップと一体になった磁石にボールマーカーを吸着させて保持するものである。ボールマーカーは、コインなど直径約２ｃｍの金属製の円盤が一般的に使用され、識別のため着色や書き込みなどが行われているが、本発明においては磁石に吸着させるため、磁性のないアルミや銅などの素材は使用できない。
【０００６】
競技者は競技開始に先立ち、グリップの端面（グリップエンド）にある磁石にボールマーカーを吸着させておき、競技中にグリーンから自打球を拾い上げる際は、磁石からボールマーカーを取り外してグリーンに載せ、そのあと自らが打撃を行う際、グリーンからボールマーカーを拾い上げて再び磁石に吸着させる。ボールマーカーが、打撃や移動の際の衝撃で磁石から外れないよう、磁石の吸着力は大きいことが望ましいが、ボールマーカーを取り外す際の作業性も考慮して磁石の材質や大きさを決める必要がある。
【０００７】
磁石はグリップエンドに取り付けられるため、この形状はグリップの断面形状と同様に円形か楕円形が一般的であり、また磁石は、美観やゴルフバックに収容している際の衝撃などを考慮して、グリップエンドに凹部を形成して埋め込むことが望ましい。なお磁石を単に凹部に埋め込んだだけでは、簡単に脱落するため接着材を使用する。磁石をより強固にグリップと接合する場合は、グリップエンドに形成された凹部の周囲に係止溝を設けて、この係止溝に磁石の外周をはめ合わせることで、より確実に磁石を保持することができる。
【０００８】
磁石に吸着しているボールマーカーは、磁石から離れる方向に移動することはないが、磁石の表面を滑るように移動していき、最終的に磁石から脱落する可能性がある。その対策として請求項２記載の発明のように、前記グリップの端面周縁に、磁石に吸着しているボールマーカーの取出箇所を除いて、磁石の吸着面より突出している起立壁を備えていることが望ましい。この起立壁は、グリップの端面周縁をゴルフクラブの軸線方向に突出させて形成されており、磁石に吸着しているボールマーカーを取り囲むことで、ボールマーカーが磁石の表面を移動した際も、その範囲を制限して脱落を防止できる。
【０００９】
ボールマーカーを磁石から取り外す際を考慮して、起立壁は完全な環状ではなく途中で分断させて取出箇所を設けている。この取出箇所は、グリップの端面周縁から突出している起立壁を設けていない区間で、この区間は、グリップの端面が、磁石の表面（吸着面）と高さを同一にして、双方の間に段差を設けない方がボールマーカーの取り出しに便利である。そして取出箇所の開口幅は特に限定しないが、前記開口幅がボールマーカーの直径よりも大きい場合、ボールマーカーを磁石の表面に沿って滑らせていき、例えば前記取出箇所からボールマーカーをそのまま引き抜くようにして取り出すことができる。ここで、取出箇所の開口幅とは、取出箇所により分断されている起立壁の両端を直線で結ぶ区間の距離を示す。
【００１０】
請求項３記載の発明のように、取出箇所の開口幅をボールマーカーの直径よりも小さく形成すれば、例えばボールマーカーを磁石の表面に沿って滑らせて、取出箇所でボールマーカーの取出先端を斜めに持ち上げ、引き上げるようにして取り出すことができる。この場合には、ボールマーカーが磁石の表面を取出箇所に向けて滑ったとしても起立壁に引っ掛かり、ボールマーカーが自然に取出箇所を通過して脱落することはない。
【００１１】
前記の取出箇所を利用して、ボールマーカーを引き抜いて取り出す場合や、引き上げて取り出す場合などには請求項４記載の発明のように、前記取出箇所にボールマーカーの取り出しを一層容易にするため、カット面を備えていることが望ましい。このカット面は、グリップ端面にある取出箇所の一部とグリップ側面の頂点を斜方向に切り欠いて形成したもので、ちょうどグリップエンドの一角が除去された状態になる。磁石に吸着されたボールマーカーを、カット面の上に位置するよう移動させ、ボールマーカー縁部を持ち上げて磁石からスムーズに取り外したり、またボールマーカーを引き上げ取り出す場合、指をあてがう箇所としても利用できる。なおカット面は、当然ながら下に向かうに連れ外側に進む傾斜面である。
【００１２】
【発明の実施の形態】
図１は、本発明によるボールマーカー保持手段を備えるゴルフクラブの一実施形態例を示したもので、図１（イ）はボールマーカー保持手段の形成される位置を示し、図１（ロ）はグリップ単体の端面周辺の形状を示す斜視図で、図１（ハ）はグリップに磁石を組み込んだ状態を示す斜視図で、図１（ニ）は磁石にボールマーカーを吸着させた状態を示す斜視図である。ゴルフクラブ１は、ヘッド２やシャフト３やグリップ４から構成され、本発明のボールマーカー保持手段は、図１（イ）において二点鎖線で囲まれたグリップエンドと呼ばれるグリップ４の端面に実装されている。グリップ４はゴムや樹脂などを円柱状に成型したもので、シャフト３に差し入れるため内部には空洞がある。
【００１３】
グリップ４の端面には、図１（ロ）のような円柱状に掘り込まれた凹部６が形成されており、凹部６の約半周を取り囲むように起立壁７が形成され、この起立壁７に対向する位置には、凹部６の残り約半周を取り囲むように取出箇所１０が形成されている。この取出箇所１０は、グリップ４端面に半円形状に構成される面であり、また起立壁７は、取出箇所１０より上方に突出した部分である。そのほか取出箇所１０の一角は、グリップ４の側面との角を切り落とすようにカット面８が形成されている。これら凹部６や起立壁７やカット面８は、グリップ４を成型する際に一括して構築される。
【００１４】
凹部６は、磁石５を組み込むために形成されており、図１（ハ）のように円盤状の磁石５が凹部６に埋め込まれる。磁石５の表面（吸着面）は、取出箇所１０と同一の高さになるよう設計され双方の間に段差はない。また起立壁７は磁石５表面から突出しており、ボールマーカー９の移動を規制する。なお磁石５が凹部６から外れないよう、双方の接触面には接着剤が塗布され、グリップ４に磁石５が組み込まれているため、図１（ニ）のようにボールマーカー９を吸着できる。なお図１に示す取出箇所１０の開口幅は、ボールマーカー９の直径より大きく、これを取り外す際は、ボールマーカー９を磁石５の吸着面に沿って矢印の方向に移動させて引き抜くか、あるいは図中の二点鎖線に示される位置でカット面８から指を入れ、ボールマーカー９を持ち上げる。この際、カット面８があることでボールマーカー９をわずかに移動させるだけで、ボールマーカー９の底部に指をあてがうことができる。
【００１５】
図２は、他の実施形態例を示したものであり、図２（イ）は、本発明によるグリップエンドを示す平面図で、また図２（ロ）は図２（イ）のＡ−Ａ断面図である。磁石５は凹部６に埋め込まれ、ボールマーカー９は、磁石５と起立壁７で拘束されている。図のように起立壁７は取出箇所１０により分断されており、この取出箇所１０の開口幅（図中の区間Ｌ）がボールマーカー９の直径より小さいため、ボールマーカー９は起立壁７の外に出ることはない。図２（イ）の二点鎖線で示される円は、ボールマーカー９が起立壁７で移動を拘束されている状態だが、ボールマーカー９の外縁がカット面８の上に到達しており、磁石５から簡単に取り外すことができる。
【００１６】
磁石５を確実にグリップ４と一体化させる方法として、図１のように接着材だけに依存したもの以外に、図３のように凹部６の周囲に係止溝１１を設けて、ここに磁石５の外縁を収容することもできる。図３（イ）は、凹部６に係止溝１１を持つグリップ４を示す斜視図であり、図３（ロ）はこの平面図、図３（ハ）はＢ−Ｂ断面図、図３（ニ）はＣ−Ｃ断面図である。ただし図３（イ）は磁石５を省略しており、また図３（ロ）に描かれた点線は、起立壁７下の磁石５の外縁を示す。各図に示すように、起立壁７の下に係止溝１１を設けて、ここに磁石５の外縁を収容しているため、磁石５は上下から挟み込まれて脱落しない。
【００１７】
【発明の効果】
請求項１記載の発明のように、ゴルフクラブのグリップエンドに磁石を備えることで、ボールマーカーを常にこの位置に保持できるため、従来のように都度ポケットから取り出す必要がなくなり手間や時間が省けて、競技者の集中力をさえぎることがない。また競技中にポケットに手を入れる回数が少なくなり、ポケット内の物を誤って落下させることを防止できる。
【００１８】
請求項２記載の発明のように、磁石に吸着しているボールマーカーの周囲に起立壁を設けることで、ボールマーカーが磁石表面を移動した場合に、その範囲を制限できるため、ボールマーカーをより確実に保持でき紛失を防止できる。
【００１９】
請求項３記載の発明のように、取出箇所の開口幅をボールマーカーの直径よりも小さくすることで、ボールマーカーが磁石の表面を移動した場合に、起立壁の外に出ることを確実に防止できる。
【００２０】
請求項４記載の発明のように、取出箇所にカット面を備えることで、ボールマーカーを一層容易に取り外すことができる。
【図面の簡単な説明】
【図１】（イ）（ロ）（ハ）（ニ）
本発明によるボールマーカー保持手段の構成を示し、（イ）はゴルフクラブにおいてボールマーカー保持手段の形成される位置を示し、（ロ）はグリップ単体の端面周辺の形状を示す斜視図で、（ハ）はグリップに磁石を組み込んだ状態の斜視図で、（ニ）はボールマーカーを吸着させた状態の斜視図である。
【図２】（イ）（ロ）
（イ）は本発明によるグリップエンドの構造を示す平面図で、また（ロ）は図２（イ）のＡ−Ａ断面図である。
【図３】（イ）（ロ）（ハ）（ニ）
本発明において、磁石を確実に保持するため凹部に係止溝を構築した場合の形態を示す図で、（イ）はグリップ単体の斜視図で、（ロ）は平面図で、（ハ）は（ロ）のＢ−Ｂ断面図で、（二）は（ロ）のＣ−Ｃ断面図である。
【符号の説明】
１  ゴルフクラブ
２  ヘッド
３  シャフト
４  グリップ
５  磁石
６  凹部
７  起立壁
８  カット面
９  ボールマーカー
１０  取出箇所
１１  係止溝
【図１】
2004357925.tif 000003
【図２】
2004357925.tif 000004
【図３】
2004357925.tif 000005